(57)【特許請求の範囲】
【請求項１】
少なくとも臀部を覆う本体部と、
少なくとも前記本体部の後側において前記本体部の上辺縁に沿って延在する帯状をなし、前記本体部に結合しているウエスト緊締部と、
前記ウエスト緊締部と左右の脇側部分で連結され、上辺が左右の前記脇側部分から後中心側へ斜め下方に弧状を呈するようにそれぞれ延在し、後中心周辺で連結され、左右の臀部下部と臀部脇部をそれぞれ覆うように形成された臀部緊締部と、
を備え、
前記臀部緊締部は、前記本体部に取り付けられた当て布であり、前記上辺側の部分が前記本体部に対して遊離するように取り付けられており、前記臀部緊締部における前記上辺は、非着用状態における臀部頂点よりも上方であって、着用状態における臀部頂点よりも下方を通過する、ボトム衣類。
【請求項２】
前記臀部緊締部は、前記本体部よりも伸縮性が低い、
請求項１に記載のボトム衣類。
【請求項３】
前記臀部緊締部における前記上辺は、着用状態における臀部頂点の直下を通過する、
請求項１又は２に記載のボトム衣類。
【発明の詳細な説明】
【技術分野】
【０００１】
本発明は、臀部の造形機能を有するボトム衣類に関するものである。
【背景技術】
【０００２】
特許文献１及び２には、臀部の造形機能を有するボトム衣類として、ガードルが開示されている。特許文献１に開示のガードルは、伸縮性を有する臀部緊締部（臀部裏打ち布）を備えている。この臀部緊締部は、臀部の膨らみの頂点より上側に上辺縁が、臀部の臀溝近傍に下辺縁の最下点が、それぞれ位置するように形成され、左右の縁が脇側まで達するように形成されている。この臀部緊締部では、左右の縁がガードル本体に縫合されているが、下辺縁がガードル本体に縫合されていないフリー状態である。これにより、比較的大きい面積で臀部裏打ち布を設けていても、臀部裏打ち布の運動追従性が良好で、従って座位時や前かがみ時においても、つっぱり感がなく、着用感が良好であるとしている。なお、臀部緊締部の上辺縁は、ガードル本体に縫合されていてもよいし、ガードル本体に縫合されていないフリー状態であってもよいとしている。
【０００３】
一方、特許文献２に開示のガードルは、臀部の下縁に沿って延在する帯状の臀部緊締部（２０）を備える。この臀部緊締部とガードル本体（例えば、臀部被覆部２２に相当）とは、一体的に編成された一の経編地から構成されている。これにより、着用感や外観を損なう虞を大きく低減しつつ、体形補整機能を実現するとしている。
【先行技術文献】
【特許文献】
【０００４】
【特許文献１】特開２００１−３０３３０５号公報
【特許文献２】特開２００９−２７０２１５号公報
【発明の概要】
【発明が解決しようとする課題】
【０００５】
上述したように、ある程度の補整機能を保ちつつ、着用感の向上が実現できるようになると、今度は、この着用感を保ちつつ、補整機能の更なる向上の要求が予想される。
【０００６】
そこで、本発明は、着用感を向上すると共に、補整力をも高めることが可能なボトム衣類を提供することを目的とする。
【課題を解決するための手段】
【０００７】
上述したように、従来、着用感を良好にするために、例えば、臀部緊締部の上辺縁を縫着する手法が考案されている。しかしながら、本願発明者らは、鋭意検討を重ねた結果、従来の構成とは反対に、臀部緊締部の上辺縁を縫着せずに遊離させ、下辺縁を縫着する手法の方が、着用感を向上することができると共に、ヒップトップを引き上げる補整力をも高めることができことを見出した。
【０００８】
そこで、本発明のボトム衣類は、少なくとも臀部を覆う本体部と、少なくとも本体部の後側において本体部の上辺縁に沿って延在する帯状をなし、本体部に結合しているウエスト緊締部と、ウエスト緊締部と左右の脇側部分で連結され、上辺が左右の脇側部分から後中心側へ斜め下方に弧状を呈するようにそれぞれ延在し、後中心周辺で連結され、左右の臀部下部と臀部脇部をそれぞれ覆うように形成された臀部緊締部と、を備え、臀部緊締部は、本体部に取り付けられた当て布であり、上辺側の部分が前記本体部に対して遊離するように取り付けられており、前記臀部緊締部における前記上辺は、非着用状態における臀部頂点よりも上方であって、着用状態における臀部頂点よりも下方を通過する。
【０００９】
このボトム衣類によれば、臀部下部及び臀部脇部を覆う臀部緊締部によって、臀部を上方へ押し上げるリフトアップ効果を高めることができる。また、この臀部緊締部の上辺を本体部に結合せずに遊離させることによって、ヒップトップを臀部緊締部の上辺よりも上方へ移動させることができる。その結果、ヒップトップを引き上げる補整力を高めることが可能となる。
【００１０】
また、臀部緊締部の上辺を本体部に結合せずに遊離させることによって、臀部緊締部の運動追従性を良好にすることができ、座位時や前かがみ時においても、つっぱり感を低減し、着用感を高めることができる。
【００１１】
また、臀部緊締部の上辺を本体部に結合せずに遊離させることによって、臀部緊締部の上辺近傍のヒップラインをスムージングすることができる。
【００１２】
ところで、臀部緊締部の上辺を本体部に縫着せずに遊離させると、脚を相通する際に足指が引っかかってしまう虞がある。また、上辺が捲れて二重になることによって、上辺近傍の緊締力が強まり、上辺がヒップに食い込み易くなる虞がある。
【００１３】
しかしながら、このボトム衣類によれば、本体部に非結合である臀部緊締部の上辺が、ウエスト緊締部から延在するので、すなわち、本体部の上辺縁よりも比較的低い位置から延在することとなるので、脚を挿通するときの足指の引っかかりや、上辺が捲れて二重になることに起因して上辺がヒップに食い込み易くなることを抑制している。また、臀部緊締部によるリフトアップ効果を高めることができる。
また、このボトム衣類によれば、臀部緊締部における上辺は、非着用状態における臀部頂点よりも上方であって、着用状態における臀部頂点よりも下方を通過するので、ヒップトップを引き上げる補整力を更に高めることができ、更に、臀部緊締部の上辺がヒップに食い込み易くなることを抑制することができる。
【００１４】
上記した臀部緊締部は、本体部よりも伸縮性が低いことが好ましい。これによれば、臀部を上方へ押し上げるリフトアップ効果を更に高めることができる。
【００１５】
また、臀部緊締部における上辺は、着用状態における臀部頂点の直下を通過することが好ましい。これによれば、ヒップトップを引き上げる補整力を更に高めることができ、更に、臀部緊締部の上辺がヒップに食い込み易くなることを抑制することができる。
【発明の効果】
【００１６】
本発明によれば、着用感を向上すると共に、補整力をも高めることができる。
【図面の簡単な説明】
【００１７】
【図１】本発明の実施形態に係るガードルの裏側を前側から示す正面図である。
【図２】本発明の実施形態に係るガードルの裏側を後側から示す背面図である。
【図３】本実施形態のガードルの着用状態（ａ）と、非着用状態（ｂ）とを側面から示す側面図である。
【図４】本発明の第１の変形例に係るガードルの裏側を後側から示す図である。
【図５】本発明の第２の変形例に係るガードルの裏側を後側から示す図である。
【図６】本発明の第３の変形例に係るガードルの裏側を後側（ａ）、及び、前側（ｂ）から示す図である。
【図７】本実施形態（ａ）、第１の比較例（ｂ）、第２の比較例（ｃ）を着用したときの臀部の撮影結果を忠実に示す図である。
【図８】ヌード同等状態（ａ）のとき、本実施形態（ｂ）及び第３の比較例（ｃ）を着用したときの臀部のモアレ等高線解析結果を忠実に示す図である。
【図９】ヌード同等状態（ａ）のとき、本実施形態（ｂ）及び第３の比較例（ｃ）を着用したときの臀部の撮影結果を忠実に示す図である。
【図１０】本発明の第３の比較例に係るガードルの裏側を後側から示す図である。
【発明を実施するための形態】
【００１８】
以下、図面を参照して本発明の好適な実施形態について詳細に説明する。なお、各図面において同一又は相当の部分に対しては同一の符号を附すこととする。
【００１９】
図１は、本発明の実施形態に係るガードルの裏側（着用者の肌に接する内側）を前側から示す正面図であり、図２は、本発明の実施形態に係るガードルの裏側を後側から示す背面図である。図１及び図２に示すガードル１は、着用者の腹部、臀部及び大腿部を覆うロングタイプのガードルであり、本体部１０と、腹部緊締部２０と、ウエスト緊締部３０と、臀部緊締部４０とを備えている。
【００２０】
本体部１０は、着用者の腹部、臀部及び大腿部を覆い、腹部、臀部及び大腿部に対して密着性を有している。例えば、本体部１０には、伸縮性を有するツーウェイラッセル素材が適用される。本実施形態では、本体部１０のクロッチ部分には、別布からなるクロッチ部１１が形成されており、本体部１０のウエスト部分には、ウエストゴムや別布が縫着されてウエスト部１２が形成されている。これにより、着用時のクロッチ部分やウエスト部分のフィット感を向上させることができる。
【００２１】
また、本実施形態では、本体部１０の前中心近傍の上辺縁部に、逆三角形状のデザイン部１３が設けられており、本体部１０の上辺縁に沿う辺以外の２辺１３ａが縫着されている。デザイン部１３には、上述したウエスト部１２や、後述する腹部緊締部２０及びウエスト緊締部３０が設けられていない。なお、本体部１０の前中心近傍の上辺縁部には、デザイン部１３に代えてウエスト部１２、腹部緊締部２０、又は、ウエスト緊締部３０が形成されてもよい。本体部１０の裏側には、腹部緊締部２０、ウエスト緊締部３０、及び、臀部緊締部４０が部分的に設けられている。
【００２２】
腹部緊締部２０、ウエスト緊締部３０、及び、臀部緊締部４０は、本体部１０の緊締力よりも強い緊締力を有している。例えば、ウエスト緊締部３０は、パワーネット等の当て布を本体部１０に取り付けて形成される。一方、腹部緊締部２０及び臀部緊締部４０は、例えば、ワンウェイパワーネット等の当て布を本体部１０に取り付けて形成される。臀部緊締部４０を形成する当て布は、本体部１０よりも丈長さが長くなるように、本体部１０に縫着等によって取り付けられている。
【００２３】
腹部緊締部２０は、デザイン部１３とクロッチ部１１との間に設けられている。腹部緊締部２０は、着用者の腹部を覆うようにひし形状に形成され、その周辺が本体部１０に縫着されている。このようにして、腹部緊締部２０は、腹部の出っ張りを補整するように作用する。なお、デザイン部１３に代えて腹部緊締部２０が本体部１０の上辺縁まで形成されていてもよい。
【００２４】
ウエスト緊締部３０は、ウエスト部１２、すなわち本体部１０の上辺縁に沿って延びる帯状をなしており、本体部１０に縫着されている。本実施形態では、ウエスト緊締部３０の左右端３１は、デザイン部１３の辺１３ａ及び腹部緊締部２０の上側辺２１と共に本体部１０に縫着されている。ウエスト緊締部３０は、デザイン部１３の辺１３ａ及び腹部緊締部２０の上側辺２１から脇側及び後側へ向けて延びており、後中心で連結している。ウエスト緊締部３０の上辺縁３２は、ウエスト部１２と共に本体部１０に縫着されており、ウエスト緊締部３０の下辺縁３３も、本体部１０に縫着されている。なお、デザイン部１３に代えてウエスト緊締部３０が本体部１０の前中心部分に形成されていてもよい。
【００２５】
臀部緊締部４０は、ウエスト緊締部３０の下辺縁３３の脇側から延びて、臀部脇部、臀部下部、及び、大腿部を覆うＵ字状をなしている。臀部緊締部４０の２つの上端４１は、ウエスト緊締部３０の下辺縁３３と共に本体部１０に縫着されている。また、臀部緊締部４０の外側辺縁４３も本体部１０に縫着されている。一方、臀部緊締部４０の内側辺縁４２は、本体部１０に縫着されておらず、遊離している。すなわち、図２のとおり、図面で右側の上辺である内側辺縁４２は、その右端がウエスト緊締部３０との縫着部から始まり斜め下方に弧状を呈して後中心周辺に至って左側の内側辺縁と連結されている。同様に、左側の上辺である内側辺縁４２は、その左端がウエスト緊締部３０との縫着部から始まり斜め下方に弧状を呈して後中心周辺に至って右側の内側辺縁と連結されている。
【００２６】
ここで、図３は、本実施形態のガードル１の着用状態（ａ）と、非着用状態（ｂ）とを側面から示す側面図である。図３に示すように、臀部緊締部４０の内側辺縁４２は、非着用状態における臀部頂点Ｐ１よりも上方であって、着用状態における臀部頂点Ｐ２よりも下方を通過するように設けられている。好ましくは、臀部緊締部４０の内側辺縁４２は、着用状態における臀部頂点Ｐ２の直下を通過するように設けられている。
【００２７】
ところで、上述したように、従来、着用感を良好にするために、例えば、臀部緊締部の上辺縁を縫着するが、下辺縁を縫着せずに遊離させる手法が考案されている。このように、臀部緊締部の下辺縁を縫着せずに遊離させることにより、臀部緊締部の下辺縁部分がヒップラインに食い込み難くしている。しかしながら、従来のガードルでは、臀部緊締部の下辺縁を縫着せずに遊離させるため、臀部を上方に押し上げるリフトアップ効果が小さく、ヒップトップを引き上げる補整力が小さい。すなわち、従来のガードルでは、着用感を向上することが可能であるが、補整機能の更なる向上は困難である。
【００２８】
しかしながら、本実施形態のガードル１によれば、臀部下部及び臀部脇部を覆うＵ字状の臀部緊締部４０の外側辺縁４３を本体部１０に縫着することによって、臀部を上方へ押し上げるリフトアップ効果を高めることができる。また、この臀部緊締部４０の内側辺縁４２を本体部１０に縫着せずに遊離させることによって、ヒップトップを臀部緊締部４０の内側辺縁４２よりも上方へ移動させることができる。その結果、ヒップトップを引き上げる補整力を高めることが可能となる。
【００２９】
また、臀部緊締部４０の内側辺縁４２を本体部１０に縫着せずに遊離させることによって、臀部緊締部４０の運動追従性を良好にすることができ、座位時や前かがみ時においても、つっぱり感を低減し、着用感を高めることができる。
【００３０】
また、臀部緊締部４０の内側辺縁４２を本体部１０に縫着せずに遊離させることによって、臀部緊締部４０の内側辺縁４２近傍のヒップラインをスムージングすることができる。
【００３１】
ところで、臀部緊締部４０の内側辺縁４２を本体部１０に縫着せずに遊離させると、脚を挿通する際に足指が引っかかってしまう虞がある。また、内側辺縁４２が捲れて二重になることによって、内側辺縁４２近傍の緊締力が強まり、内側辺縁４２がヒップに食い込み、ヒップラインが不連続、すなわち、滑らかな曲線ではなくなり、ヒップを美しく造形できない虞がある。
【００３２】
しかしながら、本実施形態のガードル１によれば、本体部１０に非縫着である臀部緊締部４０の内側辺縁４２が、ウエスト緊締部３０から延在するので、すなわち、本体部１０の上辺縁よりも比較的低い位置から延在することとなるので、脚を挿通する際の足指の引っかかりや、内側辺縁４２が捲れて二重になることに起因して内側辺縁４２近傍のヒップラインが上記のように滑らかな曲線ではなくなることを抑制することができる。また、臀部緊締部４０によるリフトアップ効果を高めることができる。
【００３３】
ところで、従来、臀部緊締部として当て布を用いる場合、本体部よりも伸縮性が高い素材を本体部よりも丈長さが短くなるように縫着し、着用時に当て布が引き伸ばされることにより補整効果を発揮させることが多い。しかしながら、この手法では、臀部全体を上方へ押し上げるリフトアップ効果が小さい。
【００３４】
しかしながら、本実施形態のガードル１では、本体部１０よりも伸縮性が低いワンウェイ素材を本体部１０よりも丈長さが長くなるように縫着するので、補整効果を損なうことなく臀部を上方へ押し上げるリフトアップ効果を更に高めることができる。
【００３５】
ところで、臀部を全体的に持ち上げつつ臀部全体を覆うように臀部緊締部を設けてしまうと、臀部緊締部の補整力によって臀部の膨らみが潰れてしまい、丸みのあるきれいなヒップラインを形成することができない。また、臀部緊締部の補整力によって臀部の膨らみを潰さないために、臀部下部のみを覆うように臀部緊締部を設けると、臀部緊締部の上辺縁でヒップラインが不連続となってしまう。
【００３６】
しかしながら、本実施形態のガードル１によれば、臀部緊締部４０の内側辺縁４２が、非着用状態における臀部頂点よりも上方であって、着用状態における臀部頂点よりも下方を通過するように設けられるので、ヒップトップを引き上げる補整力を更に高めることができ、更に、臀部緊締部の内側辺縁近傍のヒップラインが不連続となることを抑制することができる。
【００３７】
なお、本発明は上記した本実施形態に限定されることなく種々の変形が可能である。例えば、本体部、腹部緊締部、ウエスト緊締部、及び、臀部緊締部は、様々な態様に変形可能である。以下に、本体部、腹部緊締部、ウエスト緊締部、及び、臀部緊締部のいくつかの変形例を示す。
［第１の変形例］
【００３８】
図４は、本発明の第１の変形例に係るガードルの裏側を後側から示す図である。この第１の変形例のガードル１Ａは、ガードル１においてウエスト緊締部３０及び臀部緊締部４０に代えてウエスト緊締部３０Ａ、臀部緊締部４０Ａを備えており、腹部緊締部２０を備えていない構成で本実施形態と異なっている。ウエスト緊締部３０の左右端３１は、左右の脇側に縫着されており、臀部緊締部４０Ａの外側辺縁４３も左右の脇側に縫着されている。すなわち、ウエスト緊締部３０Ａ及び臀部緊締部４０Ａは、脇側より後側にのみ位置するように形成されていてもよい。
［第２の変形例］
【００３９】
図５は、本発明の第２の変形例に係るガードルの裏側を後側から示す図である。この第２の変形例のガードル１Ｂは、ガードル１において本体部１０及び臀部緊締部４０に代えて本体部１０Ｂ、臀部緊締部４０Ｂを備えている構成で本実施形態と異なっている。本体部１０Ｂは、着用者の腹部及び臀部を覆う。そのため、臀部緊締部４０Ｂは、臀部緊締部４０において大腿部を覆う部分が削除されている。すなわち、臀部緊締部４０Ｂの外側辺縁４３は、臀溝上側、好ましくは臀溝に位置する。このように、本発明の思想は、ショートタイプのガードルにも適用可能である。
［第３の変形例］
【００４０】
図６は、本発明の第３の変形例に係るガードルの裏側を後側（ａ）、及び、前側（ｂ）から示す図である。この第３の変形例のガードル１Ｃは、ガードル１において臀部緊締部４０に代えて臀部緊締部４０Ｃを備えている構成で本実施形態と異なっている。本実施形態の臀部緊締部４０では、外側辺縁４３が後中心側から大腿部脇側へ向けて横方向に伸び、かつ、大腿部脇側からウエスト緊締部３０の下辺縁３３へ向けて上方向に伸びていたが、臀部緊締部４０Ｃでは、外側辺縁４３が後中心側から脇側を通り、ウエスト緊締部３０の下辺縁３３へ向けて斜め上方に延びている。以上説明したように、本体部、腹部緊締部、ウエスト緊締部、及び、臀部緊締部は、本実施形態に限定されることなく、様々な態様に変形可能である。
【００４１】
また、本実施形態及び本変形例では、腹部緊締部、ウエスト緊締部、及び、臀部緊締部にパワーネット素材が適用されたが、腹部緊締部、ウエスト緊締部、及び、臀部緊締部の素材はこれに限定されない。例えば、サテンパワーネット素材、トリコネット素材等が適用されてもよい。また、本実施形態及び本変形例では、本体部にツーウェイラッセル素材が適用されたが、本体部の素材はこれに限定されない。例えば、本体部にはベア天竺等が適用されてもよい。
【００４２】
また、本実施形態及び本変形例では、腹部緊締部、ウエスト緊締部、及び、臀部緊締部を本体部の裏側に設けたが、本体部の表側（着用者の肌に接しない外側）に設けてもよい。
【００４３】
また、本実施形態及び本変形例では、腹部緊締部、ウエスト緊締部、及び、臀部緊締部を本体部に当て布として縫着する一例を示したが、腹部緊締部、ウエスト緊締部、及び、臀部緊締部の当て布は複数の生地により構成しても良く、また、縫着でなく接着剤等で貼り付けてもよい。
【００４４】
また、本実施形態及び変形例では、ショートタイプ、及び、膝上丈のロングタイプのガードルを例示したが、本発明の特徴は種々の丈長さに適用可能である。
【００４５】
また、本実施形態及び変形例の特徴は、ガードル（ファンデーション）以外でも、ショーツ、パンティストッキング、レギンス、スパッツ、タイツ、スポーツ用タイツ、水着、レオタード、ボディスーツ、パンツ等のように臀部を覆うボトム衣類であればすべてに適用可能である。なお、アウターに適用する場合、本実施形態及び変形例のボトム衣類を内側に内蔵してもよい。
【実施例１】
【００４６】
図１及び図２に示す本発明の実施形態のガードル１を実施例として製作し、以下の評価を行った。
［評価１］
【００４７】
本評価では、本発明の実施例及び各比較例を着用したときの臀部を脇側から撮影した。これらの撮影結果を図７に忠実に示す。図７（ａ）は、本実施例のガードル１を着用したときの臀部の撮影結果を忠実に示す図であり、図７（ｂ）及び（ｃ）は、それぞれ、第１及び第２の比較例を着用したときの臀部の撮影結果を忠実に示す図である。
【００４８】
本実施例に対して対比を行った第１及び第２の比較例は、出願人の主要な商品であり、それらの特徴及び仕様は次のとおりである。
第１の比較例：楽な着用感を目的とするもので、ガードル本体部１０Ｘよりも伸縮性が大きい腹部緊締部２０Ｘ及び臀部緊締部４０Ｘを備え、臀部緊締部４０Ｘは、臀部脇部、臀部下部及び大腿部を覆うＵ字状をなし、上端４１がガードル本体部１０Ｘの上辺縁に縫着され、内側辺縁４２及び外側辺縁４３がガードル本体部１０Ｘに縫着されているタイプのガードル１Ｘである。なお、臀部緊締部４０Ｘの内側辺縁４２は、本実施形態の臀部緊締部４０の内側辺縁４２より低く、非着用状態における臀部頂点より下方を通過している。
第２の比較例：同様に楽な着用感を目的とするもので、ガードル本体部１０Ｙよりも伸縮性が大きい腹部緊締部２０Ｙ、ウエスト緊締部３０Ｙ及び臀部緊締部４０Ｙを備え、臀部緊締部４０Ｙは、臀部脇部、臀部下部及び大腿部を覆うＵ字状をなし、上端４１がガードル本体部１０Ｙのウエスト部１２Ｙ（すなわち、上辺縁）に縫着され、内側辺縁４２もガードル本体部１０Ｙに縫着され、外側辺縁４３がガードル本体部１０Ｙに縫着されず遊離しているタイプのガードル１Ｙである。なお、臀部緊締部４０Ｙの内側辺縁４２は、本実施形態の臀部緊締部４０の内側辺縁４２より低く、非着用状態における臀部頂点近傍を通過している。
【００４９】
図７（ｂ）によれば、第１の比較例では、臀部緊締部４０Ｘの外側辺縁４３が本体部１０Ｘに縫着されているものの、上端４１の縫着位置が本体部１０Ｘの上辺縁と高く、内側辺縁４２が本実施形態の臀部緊締部４０の内側辺縁４２より低いので、臀部を上方へ押し上げるリフトアップ効果が小さい。また、臀部緊締部４０Ｘの内側辺縁４２が本体部１０Ｘに縫着されているので、ヒップトップを上方へ移動させることができていない。
【００５０】
図７（ｃ）によれば、第２の比較例では、臀部緊締部４０Ｙの外側辺縁４３が本体部１０Ｙに縫着されておらず、上端４１の縫着位置が本体部１０Ｙのウエスト部１２Ｙ（すなわち、上辺縁）と高く、内側辺縁４２が本実施形態の臀部緊締部４０の内側辺縁４２より低いので、臀部を上方へ押し上げるリフトアップ効果が小さい。また、臀部緊締部４０Ｙの内側辺縁４２が本体部１０Ｙに縫着されているので、ヒップトップを上方へ移動させることができていない。
【００５１】
これらに対し、図７（ａ）によれば、本実施例のガードル１では、臀部緊締部４０の外側辺縁４３を本体部１０に縫着し、上端４１の縫着位置がウエスト緊締部３０の下辺縁と比較的低く、臀部緊締部４０の伸縮性が本体部１０よりも低いことによって、臀部を上方へ押し上げるリフトアップ効果を高めることができた。また、この臀部緊締部４０の内側辺縁４２を本体部１０に縫着せずに遊離させることによって、ヒップトップを臀部緊締部４０の内側辺縁４２よりも上方へ移動させることができた。その結果、ヒップトップを引き上げる補整力を高めることができた。
［評価２］
【００５２】
本実施例に対して対比を行った比較例は、本実施例を発案するにあたり出願人が試行錯誤した試作品であり、それらの特徴及び仕様は次のとおりである。
第３の比較例：図１０に示すように、本実施例のガードル１において、ウエスト緊締部３０を備えず、臀部緊締部４０に代えて臀部緊締部４０Ｚを備えるガードル１Ｚである。この第３の比較例のガードル１Ｚでは、Ｕ字状の臀部緊締部４０Ｚの２つの上端４１は、ウエスト部１２（すなわち、本体部１０の上辺縁）と共に本体部１０に縫着されている。すなわち、第３の比較例では、臀部緊締部４０Ｚにおける非縫着の内側辺縁４２が比較的高い位置から延在するタイプのガードルである。
第４の比較例：Ｔバックショーツを着用したヌードと同等の状態である。
【００５３】
本評価では、本発明の実施例及び各比較例を着用したときの臀部を背面及び脇側から撮影した後、背面撮影についてモアレ等高線解析を行った。背面撮影のモアレ等高線解析結果を図８に忠実に示すと共に、脇側の撮影結果を図９に忠実に示す。図８（ａ）及び図９（ａ）は、第４の比較例のヌード同等状態の撮影結果を示す図であり、図８（ｂ）及び図９（ｂ）は、本実施例のガードル１を着用したときの撮影結果を示す図である。また、図８（ｃ）及び図９（ｃ）は、第３の比較例を着用したときの撮影結果を示す図である。
【００５４】
図８（ｃ）及び図９（ｃ）によれば、第３の比較例では、臀部緊締部４０Ｚの外側辺縁４３を本体部１０に縫着し、臀部緊締部４０Ｚの伸縮性が本体部１０よりも低いことによって、図８（ａ）及び図９（ａ）に示すヌード同等状態と比較して、臀部を上方へ押し上げるリフトアップ効果を高めることができた。また、臀部緊締部４０Ｚの内側辺縁４２を本体部１０に縫着せず遊離させることによって、図８（ａ）及び図９（ａ）に示すヌード同等状態と比較して、ヒップトップを臀部緊締部４０Ｚの内側辺縁４２よりも上方へ移動させることができた。その結果、ヒップトップを引き上げる補整力を高めることができた。
【００５５】
しかしながら、第３の比較例では、臀部緊締部４０Ｚの非縫着の内側辺縁４２が比較的高い位置から延在するので、内側辺縁４２が捲れて二重になることによって、内側辺縁４２近傍の緊締力が強まり、内側辺縁４２が食い込んでヒップに窪みが生じ、ヒップラインが滑らかな曲線で形成できなくなってしまった（Ａ部分）。
【００５６】
これらに対し、図８（ｂ）及び図９（ｂ）によれば、本実施例のガードル１では、本体部１０に非縫着である臀部緊締部４０の内側辺縁４２が、ウエスト緊締部３０から延在するので、すなわち、本体部１０の上辺縁よりも比較的低い位置から延在することとなるので、内側辺縁４２が捲れて二重になることを防止し、その結果、内側辺縁４２がヒップに食い込んで、ヒップラインが滑らかな曲線で形成できなくなることを防止することができた。
【００５７】
これより、臀部緊締部４０及びウエスト緊締部３０の双方の作用により、上記した本実施例の作用効果が奏されることがわかる。
【００５８】
また、図８（ｂ）及び図９（ｂ）によれば、本実施例のガードル１では、臀部下部Ｂの補整力が非常に高く、連続的な曲線状にヒップラインを形成するとともに、ヒップトップの位置が高く保持される。このため、脚が長く見えるというメリットもある。
【符号の説明】
【００５９】
１，１Ａ，１Ｂ，１Ｃ，１Ｘ，１Ｙ，１Ｚ…ガードル（ボトム衣類）、１０，１０Ｂ，１０Ｘ，１０Ｙ…本体部、１１…本体部のクロッチ部、１２，１２Ｙ…本体部のウエスト部、１３…本体部のデザイン部、２０，２０Ｘ，２０Ｙ…腹部緊締部、３０，３０Ａ，３０Ｙ…ウエスト緊締部、３１…ウエスト緊締部の左右端、３２…ウエスト緊締部の上辺縁、３３…ウエスト緊締部の下辺縁、４０，４０Ａ，４０Ｂ，４０Ｃ，４０Ｘ，４０Ｙ，４０Ｚ…臀部緊締部、４１…臀部緊締部の上端、４２…臀部緊締部の内側辺縁、４３…臀部緊締部の外側辺縁。
【図１】
0005810508.tif 000002
【図２】
0005810508.tif 000003
【図３】
0005810508.tif 000004
【図４】
0005810508.tif 000005
【図５】
0005810508.tif 000006
【図６】
0005810508.tif 000007
【図７】
0005810508.tif 000008
【図８】
0005810508.tif 000009
【図９】
0005810508.tif 000010
【図１０】
0005810508.tif 000011